(57)【要約】【課題】手間を要することなく、製造側が意図した通りに安全にケーブルを敷設することが可能な遊技機島を提供する。【解決手段】遊技機島１には、揚送装置２７よりも左側の奥壁に、表面を塗装処理された化粧パイプ３７が、上部タンク７の内部から遊技場の天井に向けて突出した状態で配設されている。そして、化粧パイプ３７の下端から化粧パイプ３７の垂直下方向へ一定の間隔をおいて、屈曲自在なフレキシブルパイプ３９が揚送装置２７の下端部付近にかけて遊技機島１の奥壁に配設されている。但し、フレキシブルパイプ３９は、強電用ケーブルの敷設経路に沿って、その下端部をブレーカ３５に向けて屈曲されている。【選択図】  図１
2005021236.tif 000002
【特許請求の範囲】
【請求項１】
１乃至複数の遊技機が設置される遊技機島であって、
遊技場への設置工事の際に当該遊技機島の内部に敷設すべきケーブルの敷設経路に沿って、屈曲自在なフレキシブルパイプが配設されていることを特徴とする遊技機島。
【請求項２】
前記敷設経路のうち、当該遊技機島の外部に露出する露出箇所には、前記フレキシブルパイプに代えて、装飾を施した化粧パイプが配設されていることを特徴とする請求項１記載の遊技機島。
【請求項３】
前記フレキシブルパイプと前記化粧パイプとの間には間隔が設けられていることを特徴とする請求項２記載の遊技機島。
【請求項４】
遊技球を貯留するタンクを上部に備えると共に、前記遊技機から排出された遊技球を前記タンクへ揚送する揚送装置を内部に備え、
前記化粧パイプが前記タンクの内部から外部に突出して配設されている一方、前記フレキシブルパイプが前記揚送装置の付近に配設されていることを特徴とする請求項２又は請求項３記載の遊技機島。
【請求項５】
前記ケーブルの敷設経路上の部材には、敷設すべきケーブルの種類、敷設可能なケーブルの幅、注意書きのうちの少なくとも１つが記されていることを特徴とする請求項１乃至請求項４いずれか記載の遊技機島。
【請求項６】
前記ケーブルの敷設経路上の部材には、敷設すべきケーブルの種類、敷設可能なケーブルの幅、注意書きのうちの少なくとも１つが記された粘着テープ、もしくは、タグが付されていることを特徴とする請求項１乃至請求項４いずれか記載の遊技機島。
【発明の詳細な説明】
【０００１】
【発明の属する技術分野】
本発明は、１乃至複数の遊技機が設置される遊技機島に関する。
【０００２】
【従来の技術】
従来より、多数の遊技機が設置される遊技機島には、遊技機に電力（ＤＣ２４Ｖ）や信号を伝送するための弱電用ケーブルや、遊技機島の内部に設置される揚送装置や電源装置に電力（三相ＡＣ２００Ｖ）を供給する強電用ケーブルが敷設される。
【０００３】
ここで、一般的に、弱電用ケーブルは、遊技機が遊技機島の長手方向に沿って互いに隣接しながら設置されるため、それぞれがほぼ同様の経路を経て各遊技機に配線される。このため、弱電用ケーブルは、遊技機島の内部に遊技機島の長手方向に沿って直線状に設けられたダクト内にまとめて敷設され、このダクトから各遊技機に分岐配線される。
【０００４】
これに対して、強電用ケーブルは、揚送装置や電源装置が遊技機島の内部に互いに離れて設置されるため、それぞれが個別の経路を経て配線される。このため、強電用ケーブルは、弱電用ケーブルとは異なり、ダクトに収納されることなく、各々の配線経路上の部材に固定されるなどして敷設される。
【０００５】
尚、このようなケーブルの敷設方法は、一般的であり、公知・公用の技術に該当するため、ここでは特に先行技術文献を開示しない。
【０００６】
【発明が解決しようとする課題】
ところで、弱電用ケーブルが、遊技機島の製造時に製造側によって敷設されるのに対し、強電用ケーブルは、遊技機島を遊技場に設置する際に、現場工事を行う業者によって敷設される。このため、強電用ケーブルは、必ずしも遊技機島の製造側が望むような形態で敷設されるとは限らなかった。特に、揚送装置の付近に強電用ケーブルを敷設する場合、強電用ケーブルが遊技機島の部材に確実に固定されていないようなことがあると、強電用ケーブルと揚送装置の揚送ベルトなどとの接触を招く虞があった。
【０００７】
又、強電用ケーブルが揚送装置の制御回路の近くに敷設された場合には、強電用ケーブルと揚送装置の制御回路とが誘導結合や静電結合し、これに起因したノイズによって制御回路に誤動作や故障を生じさせる虞があった。又、遊技機島がパチンコ遊技機を設置するように構成されている場合には、遊技機島の上部から落下してきた遊技球が強電用ケーブルに衝突したり、強電用ケーブルの間に挟まって堆積することがあり、強電用ケーブルに余分な負荷が掛かる虞があった。
【０００８】
ここで、これらを解決するために、遊技機島の内部に予め強電用ケーブルを敷設するためのダクトを強電用ケーブルの敷設経路に沿って設けておくことが考えられる。しかし、この場合、強電用ケーブルの敷設経路に合致した形状のダクトを製造する必要があり、その製造に手間を要する上、揚送装置の付近のような入り組んだ場所に合致した形状のダクトを製造するのは非常に困難であった。
【０００９】
そこで、本発明は、手間を要することなく、製造側が意図した通りに安全にケーブルを敷設することが可能な遊技機島を提供することを目的とする。
【００１０】
【課題を解決するための手段及び発明の効果】
上記目的を達成するためになされた請求項１記載の発明は、１乃至複数の遊技機が設置される遊技機島であって、遊技場への設置工事の際に当該遊技機島の内部に敷設すべきケーブルの敷設経路に沿って、屈曲自在なフレキシブルパイプが配設されていることを特徴とする。
【００１１】
この遊技機島では、ケーブルの敷設経路に合致した形状のダクトを製造せずとも、ケーブルの敷設経路に沿って配設したフレキシブルパイプをケーブルの敷設経路に合致するように屈曲するだけで、製造側が意図した通りの敷設経路を遊技機島の内部に容易に形成できる。しかも、入り組んだ場所にケーブルを敷設にする場合にも、入り組んだ場所の形状に応じてフレキシブルパイプを屈曲するだけで容易にケーブルの敷設経路を形成できる。又、ケーブルの敷設工事の際に、製造側が意図していた敷設経路に誤差が生じていても、この誤差を打ち消すようにフレキシブルパイプを屈曲させるだけで対処することができる。
【００１２】
以上より、本発明によれば、手間を要することなく、製造側が意図した通りに安全にケーブルを敷設することが可能な遊技機島を提供できる。
ところで、ケーブルの敷設経路のうち、遊技機島の外部に露出する露出箇所にもフレキシブルパイプを配設すると遊技機島の美観が損なわれてしまう。そこで、請求項２記載のように、露出箇所には、フレキシブルパイプに代えて、装飾を施した化粧パイプを配設すると良い。即ち、遊技機島の美観を損なうことなくケーブルを敷設できる。
【００１３】
そして、この場合、請求項３記載のように、フレキシブルパイプと化粧パイプとの間に間隔を設けておけば、ケーブルを一旦この間隔から引き出すことができるため、フレキシブルパイプや化粧パイプにケーブルを挿通させる作業を容易に行うことができる。
【００１４】
尚、遊技機島が、遊技球を貯留するタンクを上部に備え、遊技機から排出された遊技球をこのタンクへ揚送する揚送装置を内部に備える場合には、例えば、請求項４記載のように、化粧パイプをタンクの内部から外部に突出して配設し、揚送装置の付近にフレキシブルパイプを配設すれば良い。即ち、遊技機島の外観を損なうことなく、揚送装置に電力を供給する強電用ケーブルを遊技場の天井から遊技機島のタンクの内部に引き込むことができると共に、手間を要することなく安全に、遊技機島の内部に設置した揚送装置へ配線できる。
【００１５】
又、ケーブルの敷設経路上の部材には、請求項５，６記載のように、敷設すべきケーブルの種類、敷設可能なケーブルの幅、注意書きのうちの少なくとも１つを記したり、又、これらが記された粘着テープや、タグを付しておくことが望ましい。
【００１６】
即ち、どのようなケーブルをどのように敷設すべきかなどをケーブルの敷設工事を行う者が即座に把握できる上、正しく敷設工事を行っているか否かを敷設工事を行いながら確認できるため、ケーブルの敷設工事を正しく迅速に行うことができる。
【００１７】
【発明の実施の形態】
以下に本発明の実施形態を図面と共に説明する。
まず、図３は、本発明に係る遊技機島１の構造図である。
【００１８】
図３に示すように、遊技機島１は、横桟及び縦桟などの部材を組んでなり、水平方向に長い直方体状に形成されている。
ここで、遊技機島１には、その中央部付近から左右両端にかけて、パチンコ遊技機を設置するための遊技機設置部３や、計数器を設置するための計数器設置部５が互いに隣接して形成されている。
【００１９】
そして、これら遊技機設置部３や計数器設置部５の上方には、当該遊技機島１の中央上部に設けられた上部タンク７から遊技機設置部３に設置されたパチンコ遊技機に遊技球を供給する補給樋９，１１がそれぞれ、上部タンク７の内部から当該遊技機島１の左右両端にかけて下方に傾斜した状態で設けられている。又、これら補給樋９，１１の他、外部から供給される三相交流（２００Ｖ）を二相交流に変換する電源ボックス１３や、該電源ボックス１３から二相交流の各相をそれぞれ取り込み、その電圧をパチンコ遊技機の電源電圧（２４Ｖ）に降圧して各パチンコ遊技機に供給する変圧器１５，１７なども設置されている。
【００２０】
又、遊技機設置部３や計数器設置部５の下方には、パチンコ遊技機から排出された遊技球を回収するための回収樋１９，２１や、パチンコ遊技機や計数器などから排出された遊技球を貯留するメイン貯留タンク２３、サブ貯留タンク２５などが設けられている。尚、回収樋１９，２１はそれぞれ、当該遊技機島１の左右両端から当該遊技機島１の中央に向けて下方に傾斜した状態で設けられている。又、回収樋２１は、メイン貯留タンク２３へ導かれている一方、回収樋１９は、サブ貯留タンク２５に導かれている。又、サブ貯留タンク２５に貯留された遊技球は、メイン貯留タンク２３に導かれるようにされている。
【００２１】
又、遊技機島１における長手方向の中央部には、メイン貯留タンク２３から遊技球を取り込み、研磨しながら上部タンク７へ揚送する揚送装置２７や、上部タンク７から溢れた遊技球をメイン貯留タンク２３やサブ貯留タンク２５に分配する分岐箱２９が設置されている。尚、分岐箱２９と、メイン貯留タンク２３及びサブ貯留タンク２５との間にはそれぞれ、オーバーフロー樋３１，３３が設けられており、分岐箱２９は、これらオーバーフロー樋３１，３３を介してメイン貯留タンク２３やサブ貯留タンク２５に遊技球を流下させる。
【００２２】
ところで、図１は、揚送装置２７に電力を供給する強電用ケーブルの敷設経路を示す説明図である。
図１に示すように、遊技機島１では、揚送装置２７へ電力を供給する強電用ケーブル（図中点線）を遊技場の天井から上部タンク７の内部に引き込み、上部タンク７から揚送装置２７の下端部付近に至るまで、揚送装置２７の左側に沿って当該遊技機島１における図中奥側の内壁（以下、「奥壁」という。）に敷設する。そして、揚送装置２７の下端部付近にて揚送装置２７の右側へ敷設し、揚送装置２７よりも右側の奥壁に設置されたブレーカ３５に接続する。
【００２３】
ここで、このような経路で強電用ケーブルを敷設できるように、遊技機島１には、まず、揚送装置２７よりも左側の奥壁に、表面を塗装処理された化粧パイプ３７が、上部タンク７の内部から遊技場の天井に向けて突出した状態で配設されている。そして、化粧パイプ３７の下端から化粧パイプ３７の垂直下方向へ一定の間隔をおいて、屈曲自在なフレキシブルパイプ３９が揚送装置２７の下端部付近にかけて遊技機島１の奥壁に配設されている。但し、フレキシブルパイプ３９は、強電用ケーブルの敷設経路に沿って、その下端部をブレーカ３５に向けて屈曲されている。
【００２４】
尚、化粧パイプ３７とフレキシブルパイプ３９との間に設けられた間隔には、図２に示すように、強電用ケーブルを遊技機島１の奥壁に固定するための結束バンド４１が遊技機島１の奥壁に配設されている。更に、この部位の奥壁には、敷設すべきケーブルの種類を記した粘着テープ４３が貼り付けられている。又、フレキシブルパイプ３９の上端部には、当該フレキシブルパイプ３９の内部に敷設すべきケーブルの種類を記したタグ４５が取り付けられている。尚、図２は、図１にて一点鎖線で囲まれた領域Ａの拡大図である。
【００２５】
以上のように構成された遊技機島１では、強電用ケーブルの敷設経路に合致した形状のダクトを製造せずとも、強電用ケーブルの敷設経路に沿って配設したフレキシブルパイプ３９を強電用ケーブルの敷設経路に合致するように屈曲するだけで、製造側が意図した通りの敷設経路を遊技機島１の内部に容易に形成できる。しかも、揚送装置２７の付近のように入り組んだ場所に強電用ケーブルを敷設にする場合にも、入り組んだ場所の形状に応じてフレキシブルパイプ３９を屈曲するだけで容易に強電用ケーブルの敷設経路を形成できる。又、強電用ケーブルの敷設工事の際に、製造側が意図していた敷設経路に誤差が生じていても、この誤差を打ち消すようにフレキシブルパイプ３９を屈曲させるだけで対処することができる。
【００２６】
以上より、本実施形態の遊技機島１によれば、手間を要することなく、製造側が意図した通りに安全に強電用ケーブルを敷設できる。
又、遊技機島１では、遊技場の天井から上部タンク７の内部に至る部位に、フレキシブルパイプ３９ではなく、化粧パイプ３７を用いているため、当該遊技機島１の美観を損なうことなく遊技場の天井から当該遊技機島１の内部に強電用ケーブルを敷設できる。
【００２７】
又、遊技機島１では、化粧パイプ３７とフレキシブルパイプ３９との間に間隔を設けているため、強電用ケーブルを敷設する際に、強電用ケーブルを一旦この間隔から引き出すことができる。これにより、強電用ケーブルを化粧パイプ３７に挿通させる作業を容易に行うことができる。
【００２８】
又、敷設すべきケーブルの種類を粘着テープ４３やタグ４５に記しているため、どのケーブルを敷設すべきかをケーブルの敷設工事を行う者が即座に把握できる。又、敷設しているケーブルが正しいか否かを敷設工事を行いながら確認できるため、ケーブルの敷設工事を正しく迅速に行うことができる。
【００２９】
以上、本発明の実施の形態について説明したが、本発明は、上記実施形態に何ら限定されることはなく、本発明の技術的範囲に属する限り種々の形態をとり得ることはいうまでもない。
【００３０】
例えば、上記実施形態では、揚送装置２７に電力を供給する強電用ケーブルの敷設経路に沿ってフレキシブルパイプ３９を配設したが、パチンコ遊技機へ電力や信号を伝送するための弱電用ケーブルや電源ボックス１３に電力を供給する強電用ケーブルの敷設経路にフレキシブルパイプ３９を配設しても良い。
【００３１】
又、上記実施形態では、敷設すべきケーブルの種類を粘着テープ４３やタグ４５に記し、これらを敷設経路上の部材に付けて、敷設すべきケーブルを示したが、敷設すべきケーブルの種類を敷設経路上の部材に直接記しても良い。尚、粘着テープ４３やタグ４５、敷設経路上の部材には、敷設すべきケーブルの種類以外に、敷設可能なケーブルの幅や敷設工事に関わる注意書きなどを記しても良い。
【図面の簡単な説明】
【図１】揚送装置２７に電力を供給する強電用ケーブルの敷設経路を示す説明図である。
【図２】図１にて一点鎖線で囲まれた領域Ａの拡大図である。
【図３】本発明に係る遊技機島１の構造図である。
【符号の説明】
１…遊技機島、３…遊技機設置部、５…計数器設置部、７…上部タンク、９，１１…補給樋、１３…電源ボックス、１５，１７…変圧器、１９，２１…回収樋、２３…メイン貯留タンク、２５…サブ貯留タンク、２７…揚送装置、２９…分岐箱、３１，３３…オーバーフロー樋、３５…ブレーカ、３７…化粧パイプ、３９…フレキシブルパイプ、４１…結束バンド、４３…粘着テープ、４５…タグ。
【図１】
2005021236.tif 000003
【図２】
2005021236.tif 000004
【図３】
2005021236.tif 000005